(57)【要約】【課題】棚部材の設置位置の変更作業を容易にすると共に、棚部材の設置高さを細かく調整できるようにする。【解決手段】物品載置用の棚部材５０と、断熱箱体４０で画成した収納室２０の両側壁面４０ａ,４０ａに、前後方向に延在し、上下方向に離間して複数設けた棚受部４８,４８とから貯蔵庫の棚構造は構成される。一方の側壁面４０ａに設けた棚受部４８より他方の側壁面４０ａに設けた棚受部４８を、上下に隣り合う棚受部４８,４８の間隔の半分だけ上または下方に偏倚させて配置する。そして、一方の棚受部４８に棚部材５０における一方の側縁部５０ａを載置すると共に、棚部材５０における他方の側縁部５０ｂから延出した脚部５６を他方の棚受部４８に載置することで、棚部材５０が収納室２０の適宜位置に設置される。【選択図】図１
2005080904.tif 000002
【特許請求の範囲】
【請求項１】
箱体(40)の内部に画成した収納室(20)の両側壁面(40a,40a)に、前後方向に延在する棚受部(48,48)を上下方向に離間して複数設け、両側の棚受部(48,48)で物品載置用の棚部材(50,60,70)を支持する貯蔵庫の棚構造において、
前記一方の側壁面(40a)に設けられる各棚受部(48)に対して、他方の側壁面(40a)に設けられる各棚受部(48)を、上下に隣り合う棚受部(48,48)の間隔(P)の半分だけ上方または下方に偏倚させて配置し、
前記一方の棚受部(48)に前記棚部材(50,60,70)の一方の側縁部(50a,60a,70a)を載置した際に、該棚部材(50,60,70)を前記他方の棚受部(48)に略水平に支持し得る支持部(56,66,76)を、該棚部材(50,60,70)の他方の側縁部(50b,60b,70b)に設けた
ことを特徴とする貯蔵庫の棚構造。
【請求項２】
前記支持部(56)は、前記他方の側縁部(50b)から下方に向かうにつれて一方の側縁部(50a)から離間するよう傾斜している請求項１記載の貯蔵庫の棚構造。
【発明の詳細な説明】
【技術分野】
【０００１】
この発明は、冷蔵ショーケースや温蔵庫等の貯蔵庫において、貯蔵物品が載置される棚部材を棚受部で収納室の所要位置に支持する貯蔵庫の棚構造に関するものである。
【背景技術】
【０００２】
図７または図８に示すように、食品や飲料品等の物品を冷蔵、冷凍や保温等して保存する貯蔵庫１０は、内箱１４と外箱１６とで画成される空間部分に断熱材１８を充填した断熱箱体１２を本体とし、この断熱箱体１２の内部には、物品を収納するための収納室２０が画成される。この収納室２０には、前方に開放する矩形状の開口部１２ａが開設され、該開口部１２ａは、図示しないヒンジで回動自在に支持された扉２２により開閉可能に閉成される。
【０００３】
前記収納室２０内には、室内スペースを有効に利用するため、物品を載置する棚部材２４が必要に応じて設置される。例えば棚部材２４は、矩形状に形成した枠材２４ａに格子状に線材２４ｂを組合わせて網状の載置面を形成している。なお、前記棚部材２４は、載置する物品の重量を保持できる適切な強度や該物品の大きさ等の関係で各種のものが採用され、例えばトレー状のもの等も採用される。前記棚部材２４を前記収納室２０の所要位置に保持する棚受は、前記断熱箱体１２の側壁面１２ｂおよび後壁面１２ｃに設けられた複数の係止孔２８を有する棚柱２６と、該係止孔２８に着脱自在に取付けて棚部材２４を支持する棚受金３０とから構成されている(例えば、特許文献１参照)。前記棚柱２６は、前記断熱箱体１２の開口部１２ａに近接した収納室２０の両側壁面１２ｂ,１２ｂおよび後壁面１２ｃに上下方向に延在するよう夫々配設され、前記係止孔２８は上下方向に離間して複数開設される。そして、前記棚柱２６における各係止孔２８の開設高さおよび間隔は同一となるよう設定され、同一水平面の係止孔２８に棚受金３０を取付けた際に、該棚受金３０に載置される棚部材２４が水平になるよう構成される。すなわち、前記棚受金３０の上下の配設数および係止孔２８に対する設置位置を調整することで、前記棚部材２４の設置高さおよび上下の間隔や設置数の増減が適宜調整される。
【０００４】
また、特に図示しないが別の棚受として、断熱箱体の両側壁面に前後方向に延在するよう凹設された棚受溝に、棚部材の両側縁部を保持させる構成が提案されている(例えば、特許文献２参照)。すなわち、前記棚受溝は、前記側壁面を構成する内箱の側面部分を凹状に形成して上下方向に複数段設けられると共に、その前端は開放されて貯蔵庫の前側から棚部材の挿入を許容するようになっている。そして、対向する棚受溝の開設高さおよび間隔は同一となるよう設定され、同一水平面の棚受溝に棚部材を取付けた際に、該棚部材が水平になるよう構成される。
【特許文献１】実用新案登録第２５４５１４５号公報
【特許文献２】特開平１１−２７６３１８号公報
【発明の開示】
【発明が解決しようとする課題】
【０００５】
ところで、図７または図８に示した棚受は、前記係止孔２８の離間間隔を狭く設定することで、前記棚部材２４の設置高さを細かく調整することができる利点があるが、該棚部材２４の設置高さを変更する場合、先ず棚部材２４を前記棚受金３０から取り外し、複数の棚受金３０を別の係止孔２８に差し替えた後、再び棚部材２４を棚受金３０上にセットするという煩雑な手順をふむため、棚部材２４における設置位置の変更作業に手間がかかってしまう問題が指摘される。また、前記断熱箱体１２内に前記棚柱２６や棚受金３０を配設する構成のため、部品が増えてコストが増加してしまう欠点もある。
【０００６】
一方、特許文献２に開示されている棚受は、棚部材を保持する棚受溝を、内箱に一体的に形成する構成のため、製造コストの低減を図ることができる利点はあるが、上下方向に隣り合う棚受溝の間隔を狭く形成することが困難なため、前記棚部材の設置高さを細かく調整することができない不都合が指摘される。また、棚部材は棚受溝の前端部から水平に挿入して設置するようになっているため、収納室を閉成している扉が大きく開いた状態でないと該棚部材の出し入れまたは設置位置の変更ができない欠点がある。
【０００７】
すなわちこの発明は、従来の技術に係る貯蔵庫の棚構造に内在する前記問題に鑑み、これらを好適に解決するべく提案されたものであって、棚部材の設置位置の変更作業を容易にすると共に、該棚部材の設置高さを細かく調整できる貯蔵庫の棚構造を提供することを目的とする。
【課題を解決するための手段】
【０００８】
前記課題を克服し、所期の目的を達成するため、本発明に係る貯蔵庫の棚構造は、
箱体の内部に画成した収納室の両側壁面に、前後方向に延在する棚受部を上下方向に離間して複数設け、両側の棚受部で物品載置用の棚部材を支持する貯蔵庫の棚構造において、
前記一方の側壁面に設けられる各棚受部に対して、他方の側壁面に設けられる各棚受部を、上下に隣り合う棚受部の間隔の半分だけ上方または下方に偏倚させて配置し、
前記一方の棚受部に前記棚部材の一方の側縁部を載置した際に、該棚部材を前記他方の棚受部に略水平に支持し得る支持部を、該棚部材の他方の側縁部に設けたことを特徴とする。
【発明の効果】
【０００９】
本発明に係る貯蔵庫の棚構造によれば、一方の側壁面に設けた棚受部より他方の側壁面に設けた棚受部を、上下に隣り合う棚受部の間隔の半分だけ上または下方に偏倚して配置する構成のため、向かい合う棚受部に棚部材の支持部を互い違いに載置させることで、該棚受部で支持する棚部材の設置高さを細かく調整できる。また、上下に隣り合う棚受部の間隔を広く設定できるため、該棚受部が形成される箱体の成形を容易にし得る利点がある。
【００１０】
更に、棚部材の支持部は、他方の側縁部から下方に向かうにつれて一方の側縁部から離間するよう傾斜しているので、棚部材を回動した際に該支持部が棚受部に突き当たって、回動が規制されることがなくなる。すなわち、棚部材を傾斜させた状態で棚受部から取外すことができるため、扉を大きく開放しなくても棚部材の出し入れまたは設置位置の変更を実施することができる。
【発明を実施するための最良の形態】
【００１１】
箱体に内部画成した収納室の両側壁面に、前後方向に延在する棚受部を、上下方向に離間して複数設ける。一方の側壁面に設られる各棚受部に対して、他方の側壁面に設られる各棚受部を、上下に隣り合う棚受部の間隔の半分だけ上または下方に偏倚させて配置する。そして、一方の棚受部に棚部材における一方の側縁部を載置した際に、他方の棚受部に載置されて、該棚受部を略水平に保持する支持部を、該棚部材における他方の側縁部に設ける。
【実施例１】
【００１２】
次に、本発明に係る貯蔵庫の棚構造につき、好適な実施例を挙げて、添付図面を参照して以下に説明する。なお、説明の便宜上、図７または図８に示した貯蔵庫の棚構造の構成要素と同一の要素については、同一の符号を使用して詳細な説明は省略する。
【００１３】
図１または図２に示すように、実施例１に係る貯蔵庫の棚構造は、断熱箱体(箱体)４０で画成された収納室２０の両側壁面４０ａ,４０ａに一体形成された棚受部４８,４８で、棚部材５０を支持するよう構成されている。前記断熱箱体４０は、内箱４２と外箱４４と、両箱４２,４４の間に介在させた断熱材４６とからなり、前記収納室２０の壁面を構成する内箱４２の両側壁面４０ａ,４０ａに、前記棚受部４８が該収納室２０の内方に突出するよう一体的に形成されている。なお、前記内箱４２は、箱状に形成された合成樹脂の成形品であって、例えば真空成形やインジェクション成形等の適宜の成形方法により形成される。
【００１４】
前記棚受部４８は、前記収納室２０の幅方向に対向する両側壁面４０ａ,４０ａに前後方向に延在するよう形成され、各側壁面４０ａの上下方向に亘って一定間隔で複数設けられる。また、一方の前記側壁面４０ａに設けた各棚受部４８と、対向する他方の側壁面４０ａに設けた各棚受部４８とが、上または下方に偏倚して形成されている。すなわち、一方の各棚受部４８の上端面４８ａと、対向する他方の各棚受部４８の上端面４８ａとは、同一水平面上に位置していない。実施例１では、左側の側壁面４０ａにおいて、上下に隣り合う棚受部４８,４８における上端面４８ａ,４８ａの間隔(１ピッチ)Ｐの半分の寸法だけ、右側の側壁面４０ａにおける各棚受部４８の上端面４８ａは、下方にずれて位置している。従って、両側壁面４０ａ,４０ａに設けられた各棚受部４８,４８は、１／２ピッチ毎に互い違いに配置された状態になっている(図２参照)。
【００１５】
図２に示すように、前記棚受部４８は、前記側壁面４０ａから前記収納室２０の内方に突出形成され、断面形状が略三角形に形成されている。また、前記棚受部４８の上端面４８ａは、水平に延在すると共に、該棚受部４８は、その突出端から下方に向かうにつれて前記側壁面４０ａ側に傾斜している。更に、前記棚受部４８の傾斜面４８ｂは、略中間部位で前記側壁面４０ａ側に凹状に緩く湾曲している。
【００１６】
前記棚部材５０は、図３に示すように、略矩形状に形成した枠材５２と、該枠材５２の内部に縦横に格子状に組付けられた線材５４とから物品を保持する面となる網状の載置面５１が基本的に構成される。そして、前記載置面５１における一方(左側)の側縁部５０ａに対して他方(右側)の側縁部５０ｂには、前記枠材５２が下方に延出した脚部(支持部)５６が形成されている。この脚部５６は、前記載置面５１から幅方向に延在する前記枠材５２が３／２ピッチ分だけ下方に向けて延設されると共に、下方に向かうにつれて一方の側縁部５０ａから離間するよう傾斜している。より具体的には、前記脚部５６は延出部分は上方に向けて開放した略くの字状に屈曲形成される。また、幅方向に延在する前記線材５４においても、前記載置面５１より延出する部位では前記枠材５２と同様に屈曲形成される。なお、前記載置面５１の前端および後端に位置する前記枠材５２の上部には、幅方向の全長に亘って延在するストッパ５８,５８が夫々配設されている。
【００１７】
そして、前記棚部材５０は、一方の棚受部４８に棚部材５０における一方の側縁部５０ａを載置すると共に、該一方の棚受部４８とは段違いの位置にある他方の棚受部４８で前記脚部５６を載置することにより、前記載置面５１が略水平な状態で収納室２０内に上下方向に複数設置される(図１(ａ)参照)。なお、前記棚部材５０は、左右どちらの棚受部４８にでも前記脚部５６を載置して設置することが可能である(図１(ｂ)参照)。
【００１８】
〔実施例１の作用〕
次に、実施例１に係る貯蔵庫の棚構造の作用について説明する。前記棚部材５０を収納室２０に設置する場合は、該棚部材５０における載置面５１の一方の側縁部５０ａを構成し、前後方向に延在する枠材５２を、上方に位置する一方の棚受部４８の上端面４８ａに載置する。これに対し、前記脚部５６の先端に前後方向に延在する枠材５２を、前記一方の棚受部４８から３／２ピッチ下方に位置する他方の棚受部４８の上端面４８ａに載置する。これにより、前記載置面５１が略水平になるよう前記棚部材５０が前記収納室２０に設置される。そして、図１(a)に示すように、同一側壁面４０ａに設けられた棚受部４８に前記棚部材５０の脚部５６を載置するように棚部材５０を設置することで、該棚部材５０は棚受部４８,４８の１ピッチ間隔で設置高さを調整することができる。これに対し、前記棚部材５０の脚部５６を、１／２ピッチだけ上下に偏倚して対向配置された棚受部４８,４８に互い違いに載置することで、該棚部材５０は１／２ピッチ間隔で設置高さを調整することができる(図１(ｂ)参照)。このように、幅方向に対向する棚受部４８,４８を上下方向にずらして配置することで、該棚受部４８,４８を同一平面上に配置した場合と比較して、前記棚部材５０の設置高さを細かい間隔で調整し得る。すなわち、収納する物品の高さに合わせて棚部材５０の設置間隔を細かく調整することで、収納室２０内のスペースを有効に利用することができる。
【００１９】
このように、幅方向に対向する棚受部４８,４８を上下方向にずらして配置することで、同一側壁面４０ａ上に形成される隣り合う棚受部４８,４８の間隔を広く設定しても、棚部材５０の設置高さを比較的細かく調整できる。すなわち、隣り合う棚受部４８,４８の間隔を比較的広く設定することで、前記内箱４２が成形し易くなる。
【００２０】
また、前記側壁面４０ａから前記収納室２０の内方に向けて突出された棚受部４８の上端面４８ａを水平に形成することで、該棚受部４８に載置した前記棚部材５０の載置面５１は略水平となっている。前記棚受部４８を、突出端から下方に向かうにつれて側壁面４０ａ側に傾斜するよう構成することで、前記棚部材５０における前記脚部５６の前後方向に延在する枠材５２を回動支点として該棚部材５０を上方に回動した際に、円弧状の軌跡を示す回動端となる一方の側縁部５０ａが上側の棚受部４８に引っ掛かることがない(図２の２点鎖線)。更に、前記脚部５６の延出部分を上方に向けて略くの字状に屈曲形成することで、該脚部５６を載置した棚受部４８の上方に隣接する別の棚受部４８に該脚部５６が当接して回動が規制されることがない。すなわち、前記棚部材５０は左右方向に傾斜させた状態で棚受部４８,４８から取外し、断熱箱体４０の開口部から出し入れすることや、収納室２０内で移動させることができるから、該開口部を閉成する図示しない扉が何等かの事情で大きく開放できない場合であっても、該棚部材５０の出し入れまたは設置高さの変更作業を実施できる。
【００２１】
また、前記棚部材５０の脚部５６を下方に傾斜するよう延出して設けることで、前記載置面５１に重量物を載置して該載置面５１が下方に撓曲した際には、該脚部５６が外方に開くよう変位するため、前記棚受部４８,４８から棚部材５０が落下する虞れを低減することができる。
【実施例２】
【００２２】
次に、実施例２に係る貯蔵庫の棚構造について説明する。なお、実施例２に係る貯蔵庫の棚構造の構成は、実施例１で説明したものと基本的に同一であるので、異なる部分についてのみ説明する。実施例１では、前記棚部材５０の脚部５６を３／２ピッチ分だけ下方に延出するよう構成したが、実施例２の棚部材６０は、図４または図５に示すように、その脚部(支持部)６６を下方に１／２ピッチ分だけ傾斜するよう延出して形成している。すなわち、前記棚部材６０についても、実施例１の棚部材５０と同様に脚部６６により棚部材６０の落下防止作用が期待できると共に、実施例１より狭い間隔で棚部材６０を設置できる利点がある。また、実施例１と同様に、前記脚部６６の前後方向に延在する枠材５２を回動支点として前記棚部材６０を上方に回動することで、両側縁部６０ａ,６０ｂが左右方向に傾斜するような状態で、該棚部材６０は容易に断熱箱体４０の開口部から引き出せるようになっている(図５参照)。
【実施例３】
【００２３】
更に、実施例３に係る貯蔵庫の棚構造について説明する。なお、実施例３に係る貯蔵庫の棚構造の構成は、実施例１で説明したものと基本的に同一であるので、異なる部分についてのみ説明する。実施例１または実施例２で説明した棚部材５０,６０は、その他方の側縁部５０ｂ,６０ｂに設けられる脚部５６,６６は下方に延出するよう構成したが、これに対し、実施例３の棚部材７０は、図６に示すように、他方の側縁部７０ｂから上方に３／２ピッチ分で延出した支持部７６が形成されている。この支持部７６は、その先端部が外方に向けて屈曲形成され、この屈曲部７６ａを棚受部４８に掛止すると共に、一方の側縁部７０ａを対向する側壁面４０ａの棚受部４８に載置することで、該棚部材７０を支持するようになっている。そして、前記棚受部４８に載置されている一方の側縁部７０ａの前後に延在する枠材５２を回動支点として支持部７６を上方に回動することで、実施例３の棚部材７０は容易に断熱箱体４０の開口部から引き出せるようになっている(図６参照）。
【００２４】
実施例１〜３では、収納室２０の壁面を構成する内箱４２の側壁面４０ａを突出させて棚受部４８,４８を一体的に形成したが、これに限定されず、内箱４２の側壁面４０ａを凹設することで溝状の棚受部を形成する構成も採用し得る。また、前記棚部材５０,６０,７０に設けられる脚部５６,６６または支持部７６の上下方向への延出寸法は、３／２や１／２に限定されるものでなく、該棚部材５０,６０,７０を略水平に保持し得るものであれば、上下方向に５／２ピッチ分延出する等、その他寸法を適宜に設定できる。
【００２５】
ちなみに、幅方向に対向する前記棚受部４８,４８を同一平面上に設けた場合であっても、前記棚部材５０,６０,７０は脚部５６,６６または支持部７６の延出寸法を、上下に隣り合う棚受部４８,４８の間隔に合わせて設定することで対応することができる。
【図面の簡単な説明】
【００２６】
【図１】本発明の好適な実施例１に係る貯蔵庫の棚構造を示す正面図であって、(ａ)は、同一側壁面に形成した棚受部に棚部材の脚部を載置するように設置した場合を示し、(ｂ)は、棚部材の脚部を対向する棚受部に互い違いに載置するように設置した場合を示す。
【図２】実施例１の貯蔵庫の棚構造の一部を拡大して示す正面図である。
【図３】実施例１の貯蔵庫の棚構造に用いられる棚部材を示す概略斜視図である。
【図４】実施例２に係る貯蔵庫の棚構造を示す正面図であって、(ａ)は、同一側壁面に形成した棚受部に棚部材の脚部を載置するように設置した場合を示し、(ｂ)は、棚部材の脚部を対向する棚受部に互い違いに載置するように設置した場合を示す。
【図５】実施例２の貯蔵庫の棚構造の一部を拡大して示す正面図である。
【図６】実施例３の貯蔵庫の棚構造の一部を拡大して示す正面図である。
【図７】従来の貯蔵庫の棚構造を示す縦断面図である。
【図８】従来の貯蔵庫の棚構造の一部を示す概略斜視図である。
【符号の説明】
【００２７】
２０ 収納室，４０ 断熱箱体(箱体)，４０ａ 側壁面，４８ 棚受部，４８ａ 上端面
５０ 棚部材，５０ａ 一方の側縁部，５０ｂ 他方の側縁部，５６ 脚部(支持部)
６０ 棚部材，６０ａ 一方の側縁部，６０ｂ 他方の側縁部，６６ 脚部(支持部)
７０ 棚部材，７０ａ 一方の側縁部，７０ｂ 他方の側縁部，７６ 支持部，Ｐ 間隔
【図１】
2005080904.tif 000003
【図２】
2005080904.tif 000004
【図３】
2005080904.tif 000005
【図４】
2005080904.tif 000006
【図５】
2005080904.tif 000007
【図６】
2005080904.tif 000008
【図７】
2005080904.tif 000009
【図８】
2005080904.tif 000010